(57)【要約】【課題】カメラ体本体の厚みを増加させることなく、沈胴式のレンズ鏡胴の先端に光学フィルタ等のアクセサリを取付け可能にする。【解決手段】沈胴式のレンズ鏡胴１２を有するカメラにおいて、レンズ鏡胴１２の先端の直進筒３４に対して、光軸方向に進退自在にアクセサリ取付部５０を配設する。このアクセサリ取付部５０には、光学フィルタ等のアクセサリ取付用のネジ５０Ａが形成されている。前記アクセサリ取付部５０は、レンズ鏡胴１２が突出する撮影状態時にカム筒３８の先端の端面カム３８Ｅにより軸５０Ｂを介して突出位置に押し出され、レンズ鏡胴１２のカメラ本体への収納時に前記端面カム３８Ｅのカム面の後退に伴って付勢バネ５２の付勢力により非突出位置に移動させられる。【選択図】  図２
2011075840.tif 000002
【特許請求の範囲】
【請求項１】
カメラ本体内にレンズ鏡胴を収納可能な沈胴式のレンズ鏡胴を有するカメラにおいて、
前記レンズ鏡胴の先端の筒体に対して、光軸方向に進退自在に配設されたアクセサリ取付部であって、先端にアクセサリ取付用のネジが形成されたアクセサリ取付部と、
前記アクセサリ取付部を、カメラの使用状況に応じて前記筒体からアクセサリが取付可能な突出位置又は非突出位置に移動させるアクセサリ取付部駆動手段と、
を備えたことを特徴とするカメラ。
【請求項２】
前記アクセサリ取付部駆動手段は、前記レンズ鏡胴がカメラ本体内から突出する撮影可能状態のときに前記アクセサリ取付部を前記突出位置に移動させ、前記レンズ鏡胴がカメラ本体内に収納される沈胴状態のときに前記アクセサリ取付部を前記非突出位置に移動させることを特徴とする請求項１に記載のカメラ。
【請求項３】
前記アクセサリ取付部駆動手段は、前記アクセサリ取付部を非突出方向に付勢する付勢部材と、前記レンズ鏡胴がカメラ本体内から突出する撮影可能状態のときに前記アクセサリ取付部に当接し、前記付勢部材の付勢力に抗して前記アクセサリ取付部を前記突出位置に押し出すとともに、前記レンズ鏡胴がカメラ本体内に収納される沈胴状態のときに前記アクセサリ取付部から後退し、該アクセサリ取付部が前記付勢部材の付勢力により非突出位置に移動可能にする駆動部材と、から構成されていることを特徴とする請求項２に記載のカメラ。
【請求項４】
前記アクセサリ取付部にアクセサリが取り付けられた状態で、前記レンズ鏡胴が沈胴位置に収納されると、前記アクセサリ取付部は、前記付勢部材の付勢力による前記非突出位置への移動が前記アクセサリと前記筒体との当接により阻止され、前記突出位置に保持されることを特徴とする請求項３に記載のカメラ。
【請求項５】
前記レンズ鏡胴は、該レンズ鏡胴内のズームレンズを光軸方向に移動させるための円筒状の直進筒及びカム筒を有し、
前記アクセサリ取付部は、前記直進筒の先端に形成された溝穴に、前記アクセサリ取付部の内側に設けられた軸が係合することにより光軸方向に進退自在に配設されることを特徴とする請求項３又は４に記載のカメラ。
【請求項６】
前記カム筒は、その先端に前記アクセサリ取付部に設けられた軸に当接可能な端面カムが形成され、前記駆動部材として兼用されることを特徴とする請求項５に記載のカメラ。
【請求項７】
前記付勢部材は、前記直進筒の先端に配設されたリング状の板バネであって、前記アクセサリ取付部に設けられた軸に当接する切起し片を有する板バネであることを特徴とする請求項５又は６に記載のカメラ。
【請求項８】
前記アクセサリ取付部に取り付けられるアクセサリは、光学フィルタ、コンバージョンレンズ、又はレンズフードであることを特徴とする請求項１からの７いずれかに記載のカメラ。
【発明の詳細な説明】
【技術分野】
【０００１】
本発明はカメラに係り、特にレンズ鏡胴をカメラ本体から繰り出し、又はカメラ本体に収納可能な沈胴式のレンズ鏡胴を有するカメラに関する。
【背景技術】
【０００２】
レンズ鏡胴先端に光学フィルタ、コンバージョンレンズ又はレンズフード等のアクセサリを取り付けるタイプのレンズ鏡胴は、レンズ鏡胴の先端にアクセサリ取付用のネジを設ける必要がある。
【０００３】
図９に示すように、電源ＯＦＦ時にレンズ鏡胴をカメラ本体内に収納する、いわゆる沈胴式のレンズ鏡胴の直進筒１に、アクセサリ取付用のネジ２を有するアクセサリ取付部３を設けると、沈胴時にアクセサリ取付部３の先端までカメラ本体内に収納する必要がある。
【０００４】
一方、カメラ本体に着脱される交換レンズのレンズ鏡胴において、レンズ鏡胴本体の伸縮動作に連動してレンズフードを進退させ、不使用時にはコンパクトになるようにしたレンズフード付きのレンズ鏡胴が提案されている（特許文献１）。
【先行技術文献】
【特許文献】
【０００５】
【特許文献１】特開２００６−２８４８６５号公報
【発明の概要】
【発明が解決しようとする課題】
【０００６】
図９に示すように沈胴式のレンズ鏡胴は、電源ＯＦＦ時にレンズ鏡胴をカメラ本体内に収納する必要があるが、レンズ鏡胴の先端にアクセサリ取付部３を設けると、アクセサリ取付部３の光軸方向の長さ（突出量）がそのままカメラ本体の厚みの増加となるという問題がある。
【０００７】
一方、特許文献１に記載の一眼レフの交換レンズのような全長が長いレンズ鏡胴では、レンズ先端にアクセサリ取付用のネジを有するアクセサリ取付部を設けても、アクセサリ取付部の長さは３〜４ｍｍ程度であり、アクセサリ取付部の突出量は問題とならない。また、特許文献１に記載のレンズ鏡胴は、単純なカムでレンズフードを駆動させているため、そのままの構造で光学フィルタを取り付けたとしても、光学フィルタを取り付けたまま電源をＯＦＦにすることはできない。
【０００８】
本発明はこのような事情に鑑みてなされたもので、カメラ本体の厚みを増加させることなく、沈胴式のレンズ鏡胴の先端に光学フィルタ等のアクセサリを取り付けることができるカメラを提供することを目的とする。
【課題を解決するための手段】
【０００９】
前記目的を達成するために請求項１に係る発明は、カメラ本体内にレンズ鏡胴を収納可能な沈胴式のレンズ鏡胴を有するカメラにおいて、前記レンズ鏡胴の先端の筒体に対して、光軸方向に進退自在に配設されたアクセサリ取付部であって、先端にアクセサリ取付用のネジが形成されたアクセサリ取付部と、前記アクセサリ取付部を、カメラの使用状況に応じて前記筒体からアクセサリが取付可能な突出位置又は非突出位置に移動させるアクセサリ取付部駆動手段と、を備えたことを特徴としている。
【００１０】
即ち、アクセサリを取り付けることができるアクセサリ取付部を別ピースで構成し、このアクセサリ取付部を、レンズ鏡胴の先端の筒体に対して光軸方向に進退自在に配設する。このアクセサリ取付部は、前記アクセサリ取付部駆動手段によりカメラの使用状況に応じて突出位置又は非突出位置に移動させられる。前記レンズ鏡胴の沈胴時にアクセサリ取付部を非突出位置に移動させることで、アクセサリ取付部がカメラ体本体の厚みを増加させる要因にならないようにしている。
【００１１】
請求項２に示すように請求項１に記載のカメラにおいて、前記アクセサリ取付部駆動手段は、前記レンズ鏡胴がカメラ本体内から突出する撮影可能状態のときに前記アクセサリ取付部を前記突出位置に移動させ、前記レンズ鏡胴がカメラ本体内に収納される沈胴状態のときに前記アクセサリ取付部を前記非突出位置に移動させることを特徴としている。
【００１２】
請求項３に示すように請求項２に記載のカメラにおいて、前記アクセサリ取付部駆動手段は、前記アクセサリ取付部を非突出方向に付勢する付勢部材と、前記レンズ鏡胴がカメラ本体内から突出する撮影可能状態のときに前記アクセサリ取付部に当接し、前記付勢部材の付勢力に抗して前記アクセサリ取付部を前記突出位置に押し出すとともに、前記レンズ鏡胴がカメラ本体内に収納される沈胴状態のときに前記アクセサリ取付部から後退し、該アクセサリ取付部が前記付勢部材の付勢力により非突出位置に移動可能にする駆動部材と、から構成されていることを特徴としている。
【００１３】
前記駆動部材は、前記付勢部材により非突出方向に付勢されているアクセサリ取付部を、撮影可能状態のときに前記突出位置に押し出し、沈胴状態のときに前記アクセサリ取付部から後退して、前記付勢部材の付勢力により非突出位置に移動可能にする。
【００１４】
請求項４に示すように請求項３に記載のカメラにおいて、前記アクセサリ取付部にアクセサリが取り付けられた状態で、前記レンズ鏡胴が沈胴位置に収納されると、前記アクセサリ取付部は、前記付勢部材の付勢力による前記非突出位置への移動が前記アクセサリと前記筒体との当接により阻止され、前記突出位置に保持されることを特徴としている。
【００１５】
即ち、沈胴状態のときに前記アクセサリ取付部にアクセサリが取り付けられていない場合には、前記アクセサリ取付部は前記付勢部材の付勢力により非突出位置に移動させられ、アクセサリが取り付けられている場合には、前記付勢部材の付勢力による非突出位置への移動が前記アクセサリにより阻止され、前記突出位置に保持される。このように前記アクセサリ取付部にアクセサリが取り付けられた状態で前記レンズ鏡胴を沈胴状態にしても、前記駆動部材からの駆動力は前記アクセサリ取付部には伝達されないため、前記アクセサリ取付部にアクセサリが取り付けられた状態で前記レンズ鏡胴を沈胴動作させることができる。
【００１６】
請求項５に示すように請求項３又は４に記載のカメラにおいて、前記レンズ鏡胴は、該レンズ鏡胴内のズームレンズを光軸方向に移動させるための円筒状の直進筒及びカム筒を有し、前記アクセサリ取付部は、前記直進筒の先端に形成された溝穴に、前記アクセサリ取付部の内側に設けられた軸が係合することにより光軸方向に進退自在に配設されることを特徴としている。
【００１７】
請求項６に示すように請求項５に記載のカメラにおいて、前記カム筒は、その先端に前記アクセサリ取付部に設けられた軸に当接可能な端面カムが形成され、前記駆動部材として兼用されることを特徴としている。前記アクセサリ取付部を、前記直進筒から突出する突出位置に押し出す駆動手段は、既存のカム筒に端面カムを形成するだけで構成することができる。これにより、部品点数が増加することがなく、また駆動制御も不要になる。
【００１８】
請求項７に示すように請求項５又は６に記載のカメラにおいて、前記付勢部材は、前記直進筒の先端に配設されたリング状の板バネであって、前記アクセサリ取付部に設けられた軸に当接する切起し片を有する板バネであることを特徴としている。
【００１９】
請求項８に示すように請求項１から７のいずれかに記載のカメラにおいて、前記アクセサリ取付部に取り付けられるアクセサリは、光学フィルタ、コンバージョンレンズ、又はレンズフードであることを特徴としている。
【発明の効果】
【００２０】
本発明によれば、光学フィルタ等のアクセサリを取り付けることができるアクセサリ取付部を別ピースで構成し、このアクセサリ取付部を、レンズ鏡胴の先端の筒体に対して光軸方向に進退自在に配設し、カメラの使用状況に応じて前記筒体からアクセサリが取付可能な突出位置又は非突出位置に移動させるようにしたため、カメラ体本体の厚みを増加させることなく、沈胴式のレンズ鏡胴に所望のアクセサリを取り付けることができる。
【図面の簡単な説明】
【００２１】
【図１】図１は本発明に係るカメラを前方から見た斜視図である。
【図２】図２はレンズ鏡胴がカメラ本体内から突出した撮影可能状態のカメラの要部断面図である。
【図３】図３は本発明に係るカメラのレンズ鏡胴の要部構成部品を前方から見た分解斜視図である。
【図４】図４は本発明に係るカメラのレンズ鏡胴の要部構成部品を後方から見た分解斜視図である。
【図５】図５は直進筒にアクセサリ取付部が取り付けられた状態を示す後方から見た斜視図である。
【図６】図６は本発明に係るカメラのレンズ鏡胴の要部構成部品の断面図である。
【図７】図７はアクセサリが装着されていないレンズ鏡胴がカメラ本体内に収納された沈胴状態のカメラの要部断面図である。
【図８】図８はアクセサリが装着されたレンズ鏡胴がカメラ本体内に収納された沈胴状態のカメラの要部断面図である。
【図９】図９はアクセサリが装着されていないレンズ鏡胴がカメラ本体内に収納された沈胴状態の従来のカメラの要部断面図である。
【発明を実施するための形態】
【００２２】
以下、添付図面に従って本発明に係るカメラの実施の形態について説明する。
【００２３】
図１は本発明に係るカメラを前方から見た斜視図である。
【００２４】
図１に示すカメラ（デジタルカメラ）１０は、レンズ鏡胴１２をカメラ本体１４から繰り出し、又はカメラ本体１４に収納可能な沈胴式のレンズ鏡胴１２を有するものである。
【００２５】
このレンズ鏡胴１２は、後述するように光学フィルタ１６等のアクセサリが装着可能なアクセサリ取付部５０が、レンズ鏡胴構成部品とは別ピースでレンズ鏡胴先端に設けられている。
【００２６】
尚、図上で、２０はシャッタボタン、２２は電源スイッチ、２４は静止画のオート撮影モード、マニュアル撮影モード、風景モード等の各種の撮影シーンの撮影モードを選択するためのシーンポジション、動画撮影モード等を選択するためのモードレバーである。
【００２７】
図２は前記レンズ鏡胴１２がカメラ本体から突出した撮影可能状態のカメラ１０の要部断面図である。
【００２８】
このカメラ１０のレンズ鏡胴１２は、主として固定筒３０、回転筒３２、及び直進筒３４がテレスコピック状に伸縮可能に配設された鏡胴本体と、前記回転筒と一体に光軸方向に進退可能な直進キー３６と、前記回転筒３２と一体に回転するとともに、前記直進筒３４と一体に進退移動するカム筒３８と、前記鏡胴本体内に保持される第１レンズ群４０、第２レンズ群４２、第３レンズ群４４、及び第４レンズ群４６とから構成されている。
【００２９】
また、前記直進筒３４の先端には、アクセサリ取付部５０が光軸方向に進退自在に配設されるとともに、直進筒３４の内側にはアクセサリ取付部１５０をカメラ本体側に付勢する付勢バネ５２が配設されている。
【００３０】
尚、図２上で、５４はシャッタ、５６は固体撮像素子（ＣＣＤ）、５８は図１に示すようにカメラ本体１４の前面に設けられた化粧リングである。化粧リング５８は、沈胴時のレンズ鏡胴１２の先端を保護するとともに、レンズ鏡胴１２回りの外観を整える装飾用のリングである。
【００３１】
次に、図３から図６を用いて、上記直進筒３４、カム筒３８、アクセサリ取付部５０及び付勢バネ５２について詳述する。
【００３２】
図３は直進筒３４、カム筒３８、及びアクセサリ取付部５０等を前方から見た分解斜視図であり、図４は後方から見た分解斜視図である。
【００３３】
図３及び図４に示すようにカム筒３８の周面には、第２レンズ群４２のレンズ枠に設けられたカムピンが係合するカム溝３８Ａ、直進キー３６に設けられたカムピンが係合するカム溝３８Ｂとがそれぞれ３本ずつ形成されている。また、カム筒３８の後端のフランジ部には、回転筒３２の内側のキー溝と係合して回転筒３２から回転駆動力が伝達される凸部３８Ｃが形成され、また、カム筒３８の後部の外周上には、図４及び図６に示すように直進筒３４の後端に形成された溝３４Ｂと係合する係合リブ３８Ｄが設けられ、更にカム筒３８の先端には、端面カム３８Ｅが形成されている。
【００３４】
直進筒３４の内周面には、カム筒３８に係合する第２レンズ群４２、直進キー３６のカムピンを光軸方向に案内する直進溝３４Ａが形成されるとともに、内周面の後端に前記カム筒３８の係合リブ３８Ｄと係合する円弧状の溝３４Ｂが形成されている。また、直進筒３４の先端には、アクセサリ取付部５０の内側に設けられた軸５０Ｂと係合する、光軸方向に長い３つの溝穴３４Ｃが形成されている。
【００３５】
アクセサリ取付部５０の内周には、偏光（ＰＬ）フィルタ、光量調整用フィルタ（ＮＤフィルタ）等の光学フィルタ１６を含むアクセサリが取り付けられるアクセサリ取付用のネジ５０Ａと、前記直進筒３４に形成された溝穴３４Ｃに係合する３本の軸５０Ｂとが設けられている。
【００３６】
また、付勢バネ５２は、図３に示すようにリング状の金属板に３つの切起し片５２Ａが形成されてなる板バネであり、直進筒３４の内側先端に固定される。
【００３７】
図５は直進筒３４にアクセサリ取付部５０が取り付けられた状態を示す後方から見た斜視図である。アクセサリ取付部５０は、その内周に設けられた３本の軸５０Ｂが、直進筒３４に形成された溝穴３４Ｃに係合することにより、直進筒３４に対して光軸方向の移動ができるようになっている。また、図５に示すように直進筒３４の内側先端に固定された付勢バネ５２の３つの切起し片５２Ａは、アクセサリ取付部５０の３つの軸５０Ｂに当接し、アクセサリ取付部５０をカメラ本体側に常時付勢している。
【００３８】
図６は上記直進筒３４、カム筒３８、アクセサリ取付部５０、及び付勢バネ５２が組み立てられた状態を示す断面図であり、図６（Ａ）はレンズ鏡胴が繰り出され、光学フィルタ１６等のアクセサリがアクセサリ取付部５０に取付可能なアクセサリ使用可能状態に関して示しており、図６（Ｂ）はアクセサリ取付部５０が後退して収納された収納状態に関して示している。尚、直進筒３４の先端には、図２に示すように第１レンズ群４０が配設されているが、図６上では第１レンズ群４０は省略されている。
【００３９】
図６（Ａ）に示すアクセサリ使用可能状態（レンズ鏡胴が繰り出している状態）では、カム筒３８の先端に形成された端面カム３８Ｅの平坦部分が、アクセサリ取付部５０の軸５０Ｂに当接し、これによりアクセサリ取付部５０は、付勢バネ５２による付勢力に抗してアクセサリが取付可能な突出位置に押し出される。
【００４０】
一方、図６（Ｂ）に示す収納状態（レンズ鏡胴が沈胴位置の状態）では、カム筒３８の先端に形成された端面カム３８Ｅの凹部が、アクセサリ取付部５０の軸５０Ｂの位置に対応し、これによりアクセサリ取付部５０は、付勢バネ５２による付勢力により非突出位置に移動する。
【００４１】
［レンズ鏡胴の動作］
次に、上記構成のレンズ鏡胴１２の動作について、図２、図７及び図８を参照しながら説明する。尚、図７は光学フィルタ１６等のアクセサリが装着されていないレンズ鏡胴１２がカメラ本体内に収納された沈胴状態のカメラの要部断面図であり、図８は光学フィルタ１６が装着されたレンズ鏡胴１２がカメラ本体内に収納された沈胴状態のカメラの要部断面図である。
【００４２】
回転筒３２は、不図示のズームモータから減速ギア列により減速された柱状ギアを介して回転駆動力が伝達されて回転する。この回転筒３２はカムピン又はヘリコイドが外周に設けられており、このカムピン又はヘリコイドが固定筒３０の内周に形成されたカム溝又はヘリコイドと係合する。これにより、回転筒３２が回転すると、回転しながら光軸方向に移動する。尚、回転筒３２と直進キー３６とは、光軸方向に一体となって移動できるようになっている。
【００４３】
カム筒３８は、図３、図４に示したようにカム筒３８に形成された凸部３８Ｃが、回転筒３２に内周に形成されたキー溝に係合し、回転筒３２の回転に同期して回転する。また、図４及び図６に示したようにカム筒３８に形成された係合リブ３８Ｄが直進筒３４に形成された円弧状の溝３４Ｂに係合し、直進筒３４とカム筒３８とは、光軸方向に一体となって移動できるようになっている。
【００４４】
直進キー３６に設けられたカムピンは、カム筒３８に形成されたカム溝３８Ｂを介して直進筒３４の直進溝３４Ａに係合しており、これにより、カム筒３８が回転すると、カム筒３８は、直進筒３４とともに光軸方向に移動する。
【００４５】
このように、回転筒３２が回転すると、固定筒３０に対して回転筒３２、直進筒３４、及びカム筒３８はテレスコピック状に伸縮し、図２に示すようにレンズ鏡胴は、カメラ本体から繰り出されて撮影状態となり、又は図７、図８に示すようにカメラ本体に繰り込まれて沈胴位置に収納される。
【００４６】
また、第１レンズ群は、直進筒３４の先端に固定された固定レンズ（前玉）であり、第２レンズ群４２は、カム筒３８と直進筒３４とにより光軸方向に移動させられる変倍レンズである。前述したように第２レンズ群４２のカムピンが、カム筒３８のカム溝３８Ａを介して直進筒３４の直進溝３４Ａに係合しており、カム筒３８が回転すると、第２レンズ群４２は、カム溝３８Ａにより光軸方向に駆動される。
【００４７】
第３レンズ群４４は、前記カム筒３８の光軸方向の移動時にカム筒３８と一体に移動できるようになっており、第２レンズ群４２の移動に伴う焦点移動を補正する補正レンズである。
【００４８】
第４レンズ群４６はフォーカスレンズであり、不図示のフォーカスモータからの駆動力により光軸方向に移動し、焦点調整を行う。
【００４９】
［アクセサリ取付部の動作］
直進筒３４の先端に光軸方向に移動自在に配設されたアクセサリ取付部５０は、図３及び図６で説明したようにカム筒３８の先端に形成された端面カム３８Ｅと、付勢バネ５２とにより光軸方向に移動させられる。
【００５０】
図２に示すようにレンズ鏡胴が繰り出された撮影状態にある場合には、アクセサリ取付部５０は、その撮影状態におけるカム筒３８の回転位置の端面カム３８Ｅにより軸５０Ｂを介して付勢バネ５２の付勢力に抗して押し出される。
【００５１】
この場合、直進筒３４の先端から突出したアクセサリ取付部５０のネジ５０Ａと、光学フィルタ１６のネジとを螺合させることにより、光学フィルタ１６をアクセサリ取付部５０に取り付けることができる。
【００５２】
一方、カメラ１０の電源スイッチ２２を操作し、カメラ電源をＯＦＦにする場合には、レンズ鏡胴１２をカメラ本体内に収納させた後、カメラ電源をＯＦＦにする。
【００５３】
図７に示すようにレンズ鏡胴１２がカメラ本体内に収納された収納状態にある場合には、その収納状態（沈胴位置）におけるカム筒３８の回転位置の端面カム３８Ｅのカム面は、カム筒３８の端面位置よりも後退し、その結果、付勢バネ５２により軸５０Ｂを介して非突出側に付勢されているアクセサリ取付部５０は、付勢バネ５２の付勢力により非突出位置に移動させられる。
【００５４】
これにより、アクセサリ取付部５０がカメラ本体（この実施の形態では、化粧リング５８）よりも突出しないようにすることができ、アクセサリ取付部５０によりカメラ本体の厚みが増加することがないようにしている。
【００５５】
また、図８に示すようにアクセサリ取付部５０に光学フィルタ１６を装着した状態で、カメラ電源をＯＦＦにした場合には、光学フィルタ１６が直進筒３４の先端に当接し、アクセサリ取付部５０の収納位置への移動が阻止される。
【００５６】
この場合、カム筒３８の端面カム３８Ｅのカム面が、アクセサリ取付部５０の軸５０Ｂから退避するだけであり、メカ的な干渉は発生しない。即ち、アクセサリ取付部５０に光学フィルタ１６を装着したままカメラ電源をＯＦＦにすることができる。
【００５７】
尚、本発明は、この実施形態のレンズ鏡胴の構成のものに限定されず、沈胴式のレンズ鏡胴であれば、特開平１１−２１１９６５号公報等の他のレンズ鏡胴にも適用でき、また、レンズ鏡胴内のレンズ構成もこの実施形態のものに限らず、例えば２群又は３群のレンズ構成のものでもよい。
【００５８】
また、この実施の形態では、アクセサリ取付部に取り付けられるレンズアクセサリとして、光学フィルタの例について説明したが、これに限らず、ワイドコンバージョンレンズ、テレコンバージョンレンズ、又はレンズフード等の他のレンズアクセサリを取り付けるができる。
【００５９】
本発明は上述した実施の形態に限定されず、本発明の精神を逸脱しない範囲で種々の変形が可能であることは言うまでもない。
【符号の説明】
【００６０】
１０…カメラ、１２…レンズ鏡胴、１４…カメラ本体、１６…光学フィルタ、３０…固定筒、３２…回転筒、３４…直進筒、３４Ｃ…溝穴、３６…直進キー、３８…カム筒、３８Ｅ…端面カム、５０…アクセサリ取付部、５０Ａ…ネジ、５０Ｂ…軸、５２…付勢バネ、５２Ａ…切起し片
【図１】
2011075840.tif 000003
【図２】
2011075840.tif 000004
【図３】
2011075840.tif 000005
【図４】
2011075840.tif 000006
【図５】
2011075840.tif 000007
【図６】
2011075840.tif 000008
【図７】
2011075840.tif 000009
【図８】
2011075840.tif 000010
【図９】
2011075840.tif 000011